(57)【要約】【課題】設計図面から積算に必要な情報を取得する際のユーザの労力を軽減することができる図面情報処理装置、図面情報処理プログラムおよび図面情報処理プログラムが記録された記録媒体を提供する。【解決手段】図面設計システムで作成された設計図面情報８から積算用設計情報２７を取得し、当該積算用設計情報２７に含まれる旗上げオブジェクト３６を識別して、当該旗上げオブジェクト３６に関連付けられた工事情報３４を取得する設計情報取得部１０と、前記工事情報３４から演算用情報４２，４６を抽出し、当該演算用情報４２，４６を用いて基礎データを算出する基礎データ算出部１２と、前記工事情報３４と、前記基礎データ１２とから、積算用情報６０，８４を作成し出力する結果出力部１４とを備える。【選択図】図１
2012098770.tif 000002
【特許請求の範囲】
【請求項１】
図面設計システムで作成された設計図面情報から積算用設計情報を取得し、当該積算用設計情報に含まれる旗上げオブジェクトを識別して、当該旗上げオブジェクトに関連付けられた工事情報を取得する設計情報取得部と、
前記工事情報から演算用情報を抽出し、当該演算用情報を用いて基礎データを算出する基礎データ算出部と、
前記工事情報と、前記基礎データとから、積算用情報を作成し出力する結果出力部と
を備えることを特徴とする図面情報処理装置。
【請求項２】
前記設計情報取得部は、前記設計図面情報をＤＸＦ形式に変換して前記積算用設計情報を取得することを特徴とする請求項１記載の図面情報処理装置。
【請求項３】
前記旗上げオブジェクトと前記工事情報は、前記旗上げオブジェクトに設けられた旗上げ線により関連付けられていることを特徴とする請求項１又は２記載の図面情報処理装置。
【請求項４】
前記設計情報取得部は、前記旗上げ線の先端に記載された寸法情報を取得することを特徴とする請求項３記載の図面情報処理装置。
【請求項５】
コンピュータに対して、
図面設計システムで作成された設計図面情報から積算用設計情報を取得し、当該積算用設計情報に含まれる旗上げオブジェクトを識別して、当該旗上げオブジェクトに関連付けられた工事情報を取得するステップと、
前記工事情報から演算用情報を抽出し、当該演算用情報を用いて基礎データを算出するステップと、
前記工事情報と、前記基礎データとから、積算用情報を作成し出力するステップと
を実行させることを特徴とする図面情報処理プログラム。
【請求項６】
コンピュータに対して、
図面設計システムで作成された設計図面情報から積算用設計情報を取得し、当該積算用設計情報に含まれる旗上げオブジェクトを識別して、当該旗上げオブジェクトに関連付けられた工事情報を取得するステップと、
前記工事情報から演算用情報を抽出し、当該演算用情報を用いて基礎データを算出するステップと、
前記工事情報と、前記基礎データとから、積算用情報を作成し出力するステップと
を実行させることを特徴とする図面情報処理プログラムが記録された記録媒体。
【発明の詳細な説明】
【技術分野】
【０００１】
本発明は、図面情報処理装置、図面情報処理プログラムおよび図面情報処理プログラムが記録された記録媒体に関し、特に設計図面から積算（工事費の算出）に必要な情報を取得する図面情報処理に関するものである。
【背景技術】
【０００２】
工事用の設計図面から、その工事に必要とされる部材の数量や大きさなどを個別的に取得し、所定の項目にしたがって修正する積算システムが開示されている（例えば、特許文献１）。上記特許文献１によれば、図面が載置され、指示手段にて指示された部材の２点間の長さ寸法を検出するデジタイザと、部材の断面寸法、種別、用途および使用などの施行上必要とされる個別的情報を入力する入力手段と、デジタイザにて検出された部材の長さ寸法および入力手段により入力されたその部材の個別的情報に基づいて、施行に必要とされる材料の量目などを演算する制御部と、制御部での演算結果を所定のフォーマットで表示する表示手段とを備えることにより、図面からの拾い作業およびその集計作業を簡単に行える。
【先行技術文献】
【特許文献】
【０００３】
【特許文献１】特開平８−２３３１５６号公報
【発明の概要】
【発明が解決しようとする課題】
【０００４】
上記特許文献１では、積算に必要な全ての情報を自動的に設計図面から取得できるわけではなく、部材の断面寸法、種別、用途などはユーザが図面を目視で確認しながら手作業で入力する必要があり、手間がかかるため、未だ多くの時間と労力を要するという問題があった。
【０００５】
そこで、本発明は上記した問題点に鑑み、設計図面から積算に必要な情報を取得する際のユーザの労力を軽減することができる図面情報処理装置、図面情報処理プログラムおよび図面情報処理プログラムが記録された記録媒体を提供することを目的とする。
【課題を解決するための手段】
【０００６】
本発明の請求項１に係る図面情報処理装置は、図面設計システムで作成された設計図面情報から積算用設計情報を取得する設計情報取得部と、前記積算用設計情報から演算用情報を抽出し、当該演算用情報を用いて基礎データを算出する基礎データ算出部と、前記積算用設計情報と、前記基礎データとから、積算用情報を出力する結果出力部とを備え、前記設計情報取得部は、設計図面情報から旗上げオブジェクトを識別して当該旗上げオブジェクトに関連付けられた工事情報を取得することを特徴とする。
【０００７】
本発明の請求項２に係る図面情報処理装置は、前記設計情報取得部が、前記設計図面情報をＤＸＦ形式に変換して前記積算用設計情報を取得することを特徴とする。
【０００８】
本発明の請求項３に係る図面情報処理装置は、前記旗上げオブジェクトと前記工事情報は、前記旗上げオブジェクトに設けられた旗上げ線により関連付けられていることを特徴とする。
【０００９】
本発明の請求項４に係る図面情報処理装置は、前記設計情報取得部が、前記旗上げ線の先端に記載された寸法情報を取得することを特徴とする。
【００１０】
本発明の請求項５に係る図面情報処理プログラムは、コンピュータに対して、図面設計システムで作成された設計図面情報から積算用設計情報を取得するステップと、前記積算用設計情報から演算用情報を抽出し、当該演算用情報を用いて基礎データを算出するステップと、前記積算用設計情報と、前記基礎データとから、積算用情報を出力するステップとを実行させることを特徴とする。
【００１１】
本発明の請求項６に係る図面情報処理プログラムが記録された記録媒体は、コンピュータに対して、図面設計システムで作成された設計図面情報から積算用設計情報を取得するステップと、前記積算用設計情報から演算用情報を抽出し、当該演算用情報を用いて基礎データを算出するステップと、前記積算用設計情報と、前記基礎データとから、積算用情報を出力するステップとを実行させることを特徴とする。
【発明の効果】
【００１２】
本発明によれば、図面情報処理装置は、設計図面情報に含まれるオブジェクトのうち、旗上げオブジェクトを判別し、次いで当該旗上げオブジェクトに関連付けられた工事情報を取得することにより、設計図面情報から積算に必要な全ての積算用設計情報を取得することができるので、手作業で取得していた従来に比べ、格段とユーザの労力を軽減することができる。
【図面の簡単な説明】
【００１３】
【図１】本実施形態に係る図面情報処理装置の全体構成を示すブロック図である。
【図２】本実施形態に係る設計図面の一例である。
【図３】本実施形態に係る図面情報処理装置によって作成された積算用情報（１）を示す図である。
【図４】本実施形態に係る図面情報処理装置によって作成された積算用情報（２）を示す図である。
【図５】本実施形態に係る図面情報処理手順を示すフローチャートである。
【発明を実施するための形態】
【００１４】
以下、図面を参照して本発明の実施形態について詳細に説明する。
【００１５】
（全体構成）
図１に示す図面情報処理装置１は、操作部２と、図面情報処理部４と、表示部６とを備え、全体として、受取った設計図面情報８から積算に必要な積算用設計情報を取得し、適宜処理した上で積算用情報として表示部６に表示させ得るように構成されている。図面情報処理部４は、設計情報取得部１０と、基礎データ算出部１２と、結果出力部１４とを備える。
【００１６】
なお、図面情報処理部４は、図示しないがＣＰＵ（Central Processing Unit）がＲＯＭ（Read Only Memory）に格納された基本プログラムをＲＡＭ（Random Access Memory）に展開し、当該基本プログラムに従って全体を統括制御する。またＣＰＵは、ＲＯＭやハードディスクドライブ（以下、ＨＤＤ（Hard Disk Drive）と呼ぶ）に格納された積算用情報取得プログラムなどの各種アプリケーションプログラムをＲＡＭに展開し、当該各種アプリケーションプログラムに従って各種処理を実行するようになされている。
【００１７】
設計情報取得部１０は、図面設計（ＣＡＤ；Computer Aided Design）システム（図示しない）によって作成された設計図面情報８を受け取り、当該設計図面情報８に含まれるオブジェクトの種類、大きさ、角度や、文字列などから積算に必要な積算用設計情報を判別して取得する。
【００１８】
なお、設計情報取得部１０は、ネットワークシステムや、情報記録媒体などを介して、設計図面情報８を受取ることができる。設計図面情報８は、予め、または、設計情報取得部１０が当該設計図面情報８を受取る際に、ＤＸＦ（Data Exchange Format）形式に変換される。なお、ＤＸＦは、ＡｕｔｏＤｅｓｋ社のＡｕｔｏＣＡＤ（商標）によって使用されているＣＡＤシステムで作成された設計図面情報を変換する中間フォーマットであり、現在、各種のＣＡＤシステム間で設計図面情報を変換する際に汎用的に用いられている。
【００１９】
図２を参照して積算用設計情報について説明する。なお、説明の便宜上、設計図面上に積算用設計情報が１つのみ記載されている場合について説明するが、実際上は、複数の積算用設計情報が１つの設計図面上に記載されていることはいうまでもない。
【００２０】
図２に示す設計図面１６には、道路１８の地下に電線共同溝２０を埋設する工事に伴う引込管などの設備工事の設計内容が記載されている。本図に示すように、本工事は、図面上を左右に走る道路１８の地下に敷設される電線共同溝２０に、変圧器などの地上機器を含む特殊部２２や、需要家２４まで電線を引込む引込管２６などを設置するものである。
【００２１】
積算用設計情報２７は、旗上げ２８毎に記載されている。旗上げ２８は、旗上げ番号表示部３０と、旗上げ線３２と、当該旗上げ線３２に関連付けられて記載された工事情報３４とからなる。この旗上げ２８は、設計図面情報８中の、道路１８や電線共同溝２０などを記載する線図とは異なる所定のレイヤに記載されている。
【００２２】
旗上げ番号表示部３０は、旗上げオブジェクト３６と、旗上げ番号３８とからなる。本実施形態の場合、旗上げオブジェクト３６は、楕円形状の線図からなり、この旗上げオブジェクト３６内に旗上げ番号３８が表示されている。本実施形態の場合、旗上げオブジェクト３６内には、旗上げ番号３８として「Ｅ１」が表示されている。
【００２３】
旗上げ線３２は、旗上げオブジェクト３６の長軸から並行に引き出された基端部３２Ｅと、当該基端部３２Ｅから斜方向に引き出された中間部３２Ｍと、線図に記載された寸法線４０に対し垂直に伸びた先端部３２Ｆとからなり、基端部３２Ｅと、中間部３２Ｍと、先端部３２Ｆとが連続して一体に記載されている。寸法線４０には、当該寸法線４０に対応する寸法情報としての掘削長さ情報４２が記載されている。
【００２４】
工事情報３４は、引込管２６の数量、位置、用途を示す用途情報４４、設置される管の深さを示す管の深さ情報４６、管の種類を示す種類情報４８、個別工種を示す個別情報５０などからなり、旗上げ線３２の基端部３２Ｅ上に記載される。さらに、工事情報３４には、上記掘削長さ情報４２が含まれる。
【００２５】
用途情報４４は、用途オブジェクト５２と、種別情報５４とを有する。本実施形態の場合、用途オブジェクト５２は円形の線図からなり、当該用途オブジェクト５２の図面上の配列位置が管の配列を示す管配列情報５３となる。また、種別情報５４は、当該用途オブジェクト５２内に記載されている。種別情報としては、低圧の電力線を意味する「ＥＬ」や、高圧の電力線を意味する「ＥＨ」などが記載される。
【００２６】
なお、工事情報３４は、上記した情報に限定されるものではなく、一例を示したに過ぎない。
【００２７】
上記のように構成された積算用設計情報２７に基づき、図面情報処理部４は、特定の種類のオブジェクト、本実施形態の場合、楕円形状の線図が旗上げオブジェクト３６であると認識する。したがって、図面情報処理部４は楕円形状の線図を探し出すことにより、旗上げオブジェクト３６を識別する。そして、図面情報処理部４は、旗上げオブジェクト３６内に記載された文字列を旗上げ番号３８として認識する。
【００２８】
図面情報処理部４は、旗上げオブジェクト３６の長軸から平行に引き出された線が、旗上げオブジェクト３６に関連付けられた旗上げ線３２であると認識する。
【００２９】
そして、図面情報処理部４は、旗上げ線３２に関連付けられた各種の情報を取得する。ここで、設計情報取得部１０は、基端部３２Ｅ上の旗上げオブジェクト内に記載された文字列と平行に記載されたオブジェクトや文字列が、旗上げ線３２に関連付けられた工事情報３４であると認識する。
【００３０】
さらに、図面情報処理部４は、得られた工事情報３４に含まれるオブジェクトの種類、大きさ、角度や、文字列などから情報の種類を識別する。また、図面情報処理部４は、先端部３２Ｆに対し垂直な寸法線４０に対応した寸法情報が掘削長さ情報４２であると認識する。
【００３１】
なお、図面情報処理部４は、旗上げ線３２が上下、または左右方向に複数設けられている場合には、当該旗上げ線３２の基端部３２Ｅと、隣り合う他の旗上げ線３２の基端部３２Ｅの間に記載された工事情報３４が当該旗上げ線３２に関連付けられた工事情報３４であると認識する。
【００３２】
基礎データ算出部１２は、積算用設計情報２７のうち、演算用情報を抽出し、当該演算用情報を用いて基礎データを算出する。演算用情報は、特に限定されるものではないが、本実施形態の場合、上記管の深さ情報４６と、管配列情報５３である。基礎データ算出部１２は、管の深さ情報４６と、管配列情報５３を用いて、掘削幅、掘削深さ（床付け）を算出する。
【００３３】
結果出力部１４は、旗上げ番号３８毎に図３や図４に示す所定のフォーマットに積算用設計情報２７および基礎データを記入した積算用情報を表示部６に出力する。各積算用情報について説明する。
【００３４】
図３に示す積算用情報６０は、「基礎データ」欄６２、「電力」欄６４、「通信」欄６６、「個別材料・その他工事」欄６８などを備え、その他、必要に応じて適宜、欄を追加して設けることができる。「基礎データ」欄６２には、「旗上げＮｏ」表示欄７０、「掘削長さ」表示欄７２、「掘削幅」表示欄７４、「掘削長さ（床付け）」表示欄７６、「ＤＰ」表示欄７８が設けられている。
【００３５】
本実施形態の旗上げ番号Ｅ１における積算用情報について説明する。上記「旗上げＮｏ」表示欄７０には、旗上げ番号表示部３０に記載された旗上げ番号３８として「Ｅ１」が表示される。「掘削長さ」表示欄７２には、旗上げ線３２の先端に記載された寸法線４０に関連付けられた掘削長さ情報４２として「２．０」が表示される。「掘削幅」表示欄７４、および「掘削深さ（床付け）」表示欄には、基礎データ算出部１２で算出された掘削幅、掘削深さに対応する掘削幅情報、掘削深さ情報として、「０．８００」、「０．８７０」がそれぞれ表示される。「ＤＰ」表示欄７８には、管の深さ情報４６として「０．７」、「０．６」が表示される。
【００３６】
「電力」欄６４、「通信」欄６６には、用途情報４４に基づき、種類情報４８が表示される。この場合、旗上げ番号Ｅ１における用途情報４４は、種別情報５４として低圧の電力線を意味する「ＥＬ」が記載されている（図２）ので、「電力」欄６４には、防護物欄７９と、乗数欄８１とが設けられ、防護物欄７９に種類情報４８として「自在割鋼管」、乗数欄８１に「１」が表示される。
【００３７】
「個別材料・その他工事」欄６８は、名称・工種欄８０と、数量欄８２とが設けられ、個別情報５０の記載に基づき項目欄８０に「管路口取付ノックアウト」、「防砂管Ａ型φ１００」、数量欄８２にそれぞれ「１」が表示される。
【００３８】
なお、図面情報処理部４は、予め記録された用語データ（図示しない）を有し、設計図面１６上の各種情報の記載と用語データ上の用語とを照合し、対応する用語を表示することにより、各種情報が設計図面上で省略して記載された場合でも、統一された用語を表示し得るように構成されている。例えば、設計図面において種類情報４８として「自在割」と記載されていた場合、図面情報処理部４は、用語データ上の対応する用語「自在割鋼管」を表示する。
【００３９】
また、図４に示す積算用情報８４は、「電力」欄６４、「通信」欄６６、「個別材料・その他工事」欄６８などと共に、「基礎データ」欄６２に換えて断面表示部８５を備える。断面表示部８５は、掘削断面図８６と、当該掘削断面図８６の掘削幅情報と、掘削深さ情報と、管８８の配置を図示することで、位置関係を視覚的に認識させ得るように表示する。なお、管８８は、図面上に記載されている用途オブジェクト５２の配列の通り、表示される。
【００４０】
次に、積算用情報取得プログラムにしたがって実行される積算用情報取得処理について、図５のフローチャートを用いて説明する。
【００４１】
図面情報処理部４の設計情報取得部１０は、設計図面情報８が供給されると、設計情報取得処理手順ＲＴ１を開始し、ステップＳＰ１へ移る。
【００４２】
ステップＳＰ１において、設計情報取得部１０は、設計図面情報８の所定のレイヤに記載されている積算用設計情報２７を読み込み、記録し、次のステップＳＰ２へ移る。
【００４３】
ステップＳＰ２において、設計情報取得部１０は、積算用設計情報２７に含まれるデータが旗上げオブジェクト３６であるか否かを判定する。ここで、肯定結果が得られた場合、設計情報取得部１０は、次のステップＳＰ３へ移る。
【００４４】
ステップＳＰ３において、設計情報取得部１０は、旗上げオブジェクト３６内に旗上げ番号３８が記載されているか否かを判定する。ここで、肯定結果が得られた場合、設計情報取得部１０は、次のステップＳＰ４へ移る。
【００４５】
ステップＳＰ４において、設計情報取得部１０は、旗上げオブジェクト３６に関連付けられた旗上げ線３２が記載されているか否かを判定する。ここで、肯定結果が得られた場合、設計情報取得部１０は、次のステップＳＰ５へ移る。
【００４６】
ステップＳＰ５において、設計情報取得部１０は、旗上げ線３２に関連付けられた工事情報３４が記載されているか否かを判定する。ここで、肯定結果が得られた場合、設計情報取得部１０は、前記工事情報３４を取得し、次のステップＳＰ６へ移る。
【００４７】
ステップＳＰ６において、設計情報取得部１０は、旗上げ線３２に関連付けられた寸法線４０に掘削長さ情報４２が記載されているか否かを判定する。ここで、肯定結果が得られた場合、設計情報取得部１０は、掘削長さ情報４２を取得し、次のステップ７へ移る。
【００４８】
ステップＳＰ７において、図面情報処理部４の基礎データ算出部１２は、工事情報３４に含まれる演算用情報、すなわち管の深さ情報４６と、管配列情報５３とに基づいて基礎データ、すなわち掘削幅、掘削深さ（床付け）を算出し、次のステップ９へ移る。
【００４９】
ステップＳＰ９において、図面情報処理部４の結果出力部１４は、フォーマットにしたがって記載した積算用情報６０，８４を旗上げ番号３８毎に表示部６に出力すると、終了ステップへ移って設計情報取得処理手順ＲＴ１を終了する。
【００５０】
一方、ステップＳＰ２およびステップＳＰ３において否定結果が得られると、これは積算用設計情報２７に含まれるデータが旗上げ２８ではないことを意味し、設計情報取得部１０は、直ちに終了ステップへ移って設計情報取得処理手順ＲＴ１を終了する。
【００５１】
また、ステップＳＰ５において否定結果が得られた場合、設計情報取得部１０は、次のステップＳＰ８へ移り、掘削長さ情報４２を取得し、次のステップＳＰ９へ移る。
【００５２】
ステップＳＰ６において否定結果が得られた場合、設計情報取得部１０は、次のステップＳＰ９へ移る。
【００５３】
実際上、図面情報処理部４は、上記設計情報取得処理手順ＲＴ１を積算用設計情報２７に含まれるデータの数だけ繰り返すことにより、設計図面情報８に含まれる全ての積算用設計情報２７を取得し、積算用情報６０，８４を出力する。
【００５４】
（動作および効果）
以上の構成において、図面情報処理装置１の図面情報処理部４は、ＣＡＤシステムで作成された設計図面情報８に含まれる積算に必要な全ての積算用設計情報２７を取得する。この場合、図面情報処理部４は、設計図面情報８に含まれるオブジェクトのうち、旗上げオブジェクト３６を判別し、次いで当該旗上げオブジェクト３６に関連付けられた旗上げ線３２が記載されているか否かを判別することにより、旗上げ線３２に関連付けられた工事情報３４を取得することができる。したがって、図面情報処理部４は、設計図面情報８から積算に必要な全ての積算用設計情報２７を取得することができるので、手作業で取得していた従来に比べ、格段とユーザの労力を軽減することができる。
【００５５】
また、図面情報処理部４は、取得した工事情報３４に含まれるオブジェクトの種類、大きさ、角度や、文字列から情報を識別し、所定のフォーマットの所定の欄に表示させることができる。さらに、図面情報処理部４は、工事情報３４から演算用情報を抽出し、演算用情報と掘削長さ情報４２とを用いて算出した基礎データを上記フォーマットに表示させることができる。
【００５６】
本実施形態の場合、図面情報処理部４は、オブジェクトの種類、大きさ、角度や、文字列から情報を識別するので、設計図面情報に対し新たに情報を追加することなく、設計図面情報８を所定のデータ形式に変換するだけで、当該設計図面情報８を元に積算に必要な積算用設計情報２７を取得することができる。したがって、図面情報処理部４は、既存の設計図面情報８からそのまま積算用設計情報２７を取得することができるので、よりユーザの労力を軽減することができる。
（変形例）
本発明は上記実施形態に限定されるものではなく、本発明の趣旨の範囲内で適宜変更することが可能である。
【００５７】
例えば、上記実施形態では、旗上げオブジェクト３６が、楕円形状の線図である場合について説明したが、本発明はこれに限らず、要は設計図面１６に記載されたオブジェクトに合わせて設定すればよく、三角形や四角形などの線図であってもよい。
【００５８】
また、上記実施形態では、積算用情報６０，８４のフォーマットを２つ例示したが、本発明はこれに限らず、適宜変更することができる。
【００５９】
また、上記実施形態では、図面情報処理部４が予めＲＯＭやＨＤＤに格納された積算用情報取得プログラムにしたがって積算用情報取得処理を実行するようにした場合について説明したが、本発明はこれに限らず、積算用情報取得プログラムをＣＤ−ＲＯＭ、ＤＶＤ、半導体メモリ等のリムーバブルメディア経由でインストールしたうえで積算用情報取得処理を実行したり、インターネット経由で積算用情報取得プログラムを格納したうえで、積算用情報取得処理を実行するようにしてもよい。
【００６０】
また、上記実施形態では、ＣＡＤシステムで作成された設計図面情報８に含まれる積算に必要な全ての積算用設計情報２７を取得し、当該積算用設計情報２７に基づいて積算用情報６０，８４を出力する場合について説明したが、本発明はこれに限らず、操作部２から入力された情報を付加して積算用情報６０，８４を作成し出力することとしてもよい。
【符号の説明】
【００６１】
１    図面情報処理装置
８    設計図面情報
１０    設計情報取得部
１２    基礎データ算出部
１４    結果出力部
２７    積算用設計情報
３２    旗上げ線
３４    工事情報
３６    旗上げオブジェクト
４２    掘削長さ情報（演算用情報、寸法情報）
４６    管の深さ情報（演算用情報）
６０，８４    積算用情報
【図１】
2012098770.tif 000003
【図２】
2012098770.tif 000004
【図３】
2012098770.tif 000005
【図４】
2012098770.tif 000006
【図５】
2012098770.tif 000007